(57)【要約】【課題】  ズーム機能による手軽な倍率変更を有効に活かしつつ、汎用的なビデオカメラにおけると同様な撮像と“ビデオ顕微鏡”におけるような高倍率での拡大撮像を必要に応じて手軽に使い分けることができる撮像具の提供。【解決手段】  ズーム機能を有するカメラユニットを内蔵の撮像具本体１に補助レンズ１６を有する拡大撮像アダプタ２を組み合わせた構造とし、拡大撮像アダプタの補助レンズを、例えば拡大撮像アダプタを撮像具本体に装着し、また取り外すことで、カメラユニットへの像光の入射経路から外した状態での撮像具本体による撮像と、補助レンズをカメラユニットへの像光の入射経路に位置決めさせた状態での拡大撮像とを選択的に行えるようにしている。【選択図】  図１
2005122203.tif 000002
【特許請求の範囲】
【請求項１】
ズーム機能を有するカメラユニットを有する撮像具本体に取り付けて用いる拡大撮像アダプタであって、
所定の拡大倍率を持つ補助レンズと、
前記撮像具本体に脱着自在な固定を行う固定手段と、
前記補助レンズに撮像対象物までの物体距離を固定的に与える物体距離固定部と、
照明を行う照明手段と、
を備えてなり、
前記補助レンズは、前記撮像具本体に前記固定手段が固定されたときに、前記撮像具本体におけるカメラユニットへの像光の入射経路に対して選択的に位置決めされるようにされ、
前記固定手段を前記撮像具本体に脱着することで、前記補助レンズを前記入射経路から外した状態での前記撮像具本体による撮像と、前記補助レンズをカメラユニットへの像光の入射経路に位置決めさせた状態で、前記照明手段により撮像対象物を照明しつつ行う拡大撮像とを前記撮像具本体に選択的に行わせるように、
且つ、前記拡大撮像を、前記物体距離固定部の先端を前記撮像対象物に当接させた状態で前記撮像具本体に行わせられるようになっているとともに、
前記拡大撮像が、前記カメラユニットが有するズーム機能によって生じているズーム比のすべての範囲で、焦点の合った状態で実行できるようになっている、
拡大撮像アダプタ。
【請求項２】
ズーム機能を有するカメラユニットと、照明を行う照明手段とを有する撮像具本体に取り付けて用いる拡大撮像アダプタであって、
所定の拡大倍率を持つ補助レンズと、
前記撮像具本体に脱着自在な固定を行う固定手段と、
前記補助レンズに撮像対象物までの物体距離を固定的に与える物体距離固定部と、
を備えてなり、
前記補助レンズは、前記撮像具本体に前記固定手段が固定されたときに、前記撮像具本体におけるカメラユニットへの像光の入射経路に対して選択的に位置決めされるようにされ、
前記固定手段を前記撮像具本体に脱着することで、前記補助レンズを前記入射経路から外した状態での前記撮像具本体による撮像と、前記補助レンズをカメラユニットへの像光の入射経路に位置決めさせた状態で、前記照明手段により撮像対象物を照明しつつ行う拡大撮像とを前記撮像具本体に選択的に行わせるように、
且つ、前記拡大撮像を、前記物体距離固定部の先端を前記撮像対象物に当接させた状態で前記撮像具本体に行わせられるようになっているとともに、
前記拡大撮像が、前記カメラユニットが有するズーム機能によって生じているズーム比のすべての範囲で、焦点の合った状態で実行できるようになっている、
拡大撮像アダプタ。
【請求項３】
前記補助レンズは移動可能とされており、この移動により前記補助レンズが前記撮像具本体におけるカメラユニットへの像光の入射経路に対し選択的に位置決め可能となっている、
請求項１又は２に記載の拡大撮像アダプタ。
【発明の詳細な説明】
【技術分野】
【０００１】
本発明は、撮像具乃至拡大撮像アダプタに関し、より詳しくは通常のビデオカメラ的な撮像と高倍率な拡大撮像を選択的に行うことのできる撮像具乃至拡大撮像アダプタに関する。
【背景技術】
【０００２】
最近は小型で高性能なビデオカメラが汎用化され、広く一般に使われるようになっている。この汎用的なビデオカメラは、一般的にオートフォーカス機能と共に通常１０倍程度のズーム比を持つズーム機能を備えており、このズーム比の範囲で所望の大きさの影像を自由に得ることを可能とし、ビデオ映像分野に大きな広がりをもたらしている。ただ汎用的なビデオカメラは、日常的な大きさの影像（一般にディスプレイ画面上の像として１倍以下である影像）を基準としており、したがって一般的なビデオカメラでは例えば数倍〜数百倍と言った顕微鏡レベルに拡大した影像を得ることはできない。
【０００３】
一方、ビデオカメラは、例えば理容や美容管理のための肌や毛髪の拡大観察、あるいは皮膚の病変組織などの拡大観察、さらには工業製品の微小な欠陥の検査などのために“ビデオ顕微鏡”としても広く利用されている。これらの特殊ビデオカメラは、例えば特開平１−３０８５２７号公報や特開平２−２０７４０１号公報などにおいて知られているが、これらは何れも光学系が専用化されているために、通常のビデオカメラ的な撮像を行うことが出来ず、高倍率の拡大影像しか得ることができない。
【０００４】
ところで、上記のような各種の観察や検査については、単に目的部分の拡大観察だけでなく、その目的部分を全体との関係で観察や検査する必要のある場合が少なくない。例えば肌のしみやしわの観察であれば、そのしみやしわが顔のどの部分にあるかを先ず撮像し、それからしみやしわの拡大撮像を行うようにし、また皮膚の病変部分の治療に際して患者に病変の状態や治療過程を説明したりするのに用いる場合にも、全体像と拡大部分像を組み合わせることが非常に有用である。また工業製品の検査であれば、微小な欠陥を持つ製品の全体像からその欠陥が製品のどの部分にあるかを示すようにすることが望まれる。
【０００５】
しかるに上記のように従来の“ビデオ顕微鏡”は、高倍率での拡大撮像しか行えず、また一般的なビデオカメラは、高倍率での撮像を行えない。そのため上記のような要求に簡単に対応できず、また拡大撮像用の“ビデオ顕微鏡”と通常倍率撮像用の一般的なビデオカメラの２種類を使い分けることで対応するにしても、扱いが面倒になるなどとかく不便が多い。
【発明の開示】
【発明が解決しようとする課題】
【０００６】
このような事情を背景になされたのが本発明で、ズーム機能による手軽な倍率変更を有効に活かしつつ、汎用的なビデオカメラにおけると同様な撮像と“ビデオ顕微鏡”におけるような高倍率での拡大撮像を必要に応じて手軽に使い分けることができる撮像具の提供を目的とする。
【課題を解決するための手段】
【０００７】
本発明による撮像具は、ズーム機能を有するカメラユニットを内蔵の撮像具本体と、所定の拡大倍率を持つ補助レンズを有し、この補助レンズを撮像具本体におけるカメラユニットへの像光の入射経路に対し選択的に位置決め可能とする拡大撮像アダプタと、撮像具本体又は拡大撮像アダプタに組み込まれた照明手段とを備えてなり、補助レンズをカメラユニットへの像光の入射経路から外した状態での撮像具本体による撮像と、補助レンズをカメラユニットへの像光の入射経路に位置決めさせた状態で、照明手段により撮像対象物を照明しつつ行う拡大撮像とを選択的に行えるようにしてなっている。
【０００８】
この撮像具は、補助レンズをカメラユニットへの像光の入射経路から外した状態で用いると通常一般のビデオカメラ的な撮像、つまりディスプレイ画面上での再生像として１倍以下の大きさの影像が得られ、また比較的離れた位置から対象物を撮像するような撮像を行うことができる。それには、一般的なビデオカメラの使い方と同様に撮像具本体を手に持ち、ズーム機能における最近接可能距離の範囲で自由な距離から撮像する。
【０００９】
一方、補助レンズをカメラユニットへの像光の入射経路に位置決めさせた状態とすると、補助レンズが与える拡大倍率に応じた高倍率での拡大撮像をズーム機能におけるズーム比の範囲で可変的に行うことができる。ここで「高倍率」とは、上記通常撮像における１倍以下に比べ大きな拡大となる５倍程度以上に拡大する場合を実質的に意味している。
【００１０】
上記のような撮像具については、補助レンズに関し物体距離を固定的に与える物体距離固定部を拡大撮像アダプタに設けると共に、この拡大撮像アダプタを撮像具本体に対し着脱可能とし、そして拡大撮像に際してはこの拡大撮像アダプタを撮像具本体に装着することで補助レンズをカメラユニットへの像光の入射経路に位置決めさせ、その物体距離固定部の先端を撮像対象物に当接させた状態で撮像できるようにする構造が可能である。
【００１１】
この構造によると、物体距離を物体距離固定部により固定化することで、高倍率での撮像の場合に受け易い手振れの影響をなくすことが可能となる。即ち物体距離固定部の先端を撮像対象物乃至これを支持する支持物に当接させた状態として物体距離を固定化することで、手振れの影響を解消でき、高倍率での撮像を安定的に行うことができる。
【００１２】
また上記のような撮像具については、拡大撮像アダプタにおける補助レンズを移動可能とし、この移動により補助レンズを撮像具本体におけるカメラユニットへの像光の入射経路に対し選択的に位置決め可能とさせる構造も可能である。
【００１３】
この構造は、拡大撮像アダプタをその都度取り付けたり取り外したりする手間が省けるという利点がある。この補助レンズを移動する方式についても、拡大撮像アダプタに物体距離固定部を設けることが可能で、そうすることで上記と同様な利点が得られる。
【発明の効果】
【００１４】
本発明によると、汎用的なズーム機能による手軽な倍率変更を有効に活かしつつ、通常倍率での撮像と高倍率での拡大撮像を必要に応じて手軽に使い分けることができるので、ビデオ映像分野にさらに大きな広がりをもたらすことができる。
【発明を実施するための最良の形態】
【００１５】
以下本発明の実施例を説明する。第１の実施例による撮像具は、図１〜図４に示すように、撮像具本体１とこれに着脱可能とした拡大撮像アダプタ２よりなっている。
【００１６】
撮像具本体１は、片手に軽く握れる程度のサイズの箱状に形成したケーシング３で覆われている。ケーシング３の内部には、図３に見られるように、カメラユニット４及び制御ユニット５が内蔵され、またケーシング３の先端側には筒状の像光路６が設けられ、この像光路６の先端側前方を囲むようにして照明手段７が設けられ、その前面には第１偏光子８が設けられている。また像光路６には振動面回転手段９と第２偏光子１０が設けられている。さらにケーシング３の外側面には、図１〜図３に見られるように、画像操作スイッチ１１、偏光操作スイッチ１２、ズーム操作スイッチ１３及び照明操作スイッチ１４が設けられている。
【００１７】
カメラユニット４は、ＣＣＤとこれの制御処理機構、それに電動ズーム機構及びオートフォーカス機構をユニット化して形成されている。
【００１８】
照明手段７は、高倍率での撮像や後述の偏光利用の通常撮像の際に撮像対象物の照明に用いられる。この例の照明手段７は、馬蹄状の蛍光灯が用いられ、これと相似形の反射カバー７ｃで囲った構造とされ、像光路６の周囲からほぼ円形状に照明光を前方に照射できるように配されていている。そしてそこからの照明光はその前方に配された第１偏光子８により偏光化されて対象物を照明する。
【００１９】
第２偏光子１０は、像光路６からカメラユニット４に入射する影像光から偏光成分を遮断するように機能する。そしてこれにより表面反射光を除いた無反射影像を得ることができる。つまり照明手段７からの照明光は上述のように第１偏光子８により偏光化されて撮像対象物を照明するが、この偏光化した照明光で照明された撮像対象物からの影像光には、その表面で反射してその偏光状態を保っている影像光と非表面反射することで自然光化した影像光が混じっている。そこで偏光操作スイッチ１２で振動面回転手段９を作動させて偏光影像光を第２偏光子１０で遮断すると表面反射光が除かれ、無反射影像を得ることができ、また偏光影像光の遮断を行わなければ表面反射光を含んだ影像を得ることができる。
【００２０】
制御ユニット５は、照明手段７の点灯制御回路を含み、また画像メモリ及び画像固定化制御用の制御手段を含んでいる。そして点灯制御回路で照明手段７の点灯制御を行い、また撮像ユニットが出力する画像信号を画像メモリを介して図外のディスプレイに出力し、さらに画像固定化制御用の制御手段により、画像操作スイッチ１１の操作に応じて画像メモリへの画像データの取り込みを停止すると同時に、最後に取り込んだ画像データをディスプレイ装置へ繰り返して出力する画像固定化制御を行うようになっている。
【００２１】
拡大撮像アダプタ２は、フード体１５に補助レンズ１６を保持させた構造となっている。フード体１５は、全体として先細りの角筒状に形成され、先端に像光取入れ開口１７が設けられると共に、基端側の内部にはブラケット部１８が設けられ、このブラケット部１８に補助レンズ１６を保持している。またフード体１５は、ブラケット部１８に保持した補助レンズ１６と像光取入れ開口１７の間に所定の間隔Ｗ（図３）が与えられ、この間隔Ｗに対応する部分が物体距離固定部１９とされ、その先端、つまり像光取入れ開口１７を撮像対象物の撮像対象部位に当接させることで補助レンズ１６に関する物体距離をＷとして固定的に設定するのに機能するようにされている。さらにフード体１５は、基端部がケーシング３の先端部の形状と対応する形状とされ、ケーシング３の先端部に設けてある接続受け部２０（図２）を介して撮像具本体１に着脱可能に接続できるようにされている。なおこの拡大撮像アダプタ２における補助レンズ１５は、数ｃｍ程度の焦点距離を持ち、１０倍程度の拡大能を持つレンズ設計としてある。したがってズーム比１０との組み合わせにより１０〜１００倍の拡大倍率が可能となる。
【００２２】
以上のような撮像具を用いて通常倍率での撮像を行うには、図２の状態の撮像具本体１だけを用い、撮像具本体１を手に握って操作しつつ目的の撮像対象物に向けて必要な調整を行いながらその像を取り込む。この調整は、操作者が適当と思う影像サイズや撮像アングルの選択で、この操作の間に取り込まれて連続的にディスプレイ装置に表示される影像を見ながら、撮像対象物と撮像具本体１の距離関係やズーム操作スイッチ１３でズーム状態を調節して進める。これが済んだ、つまり得られる影像が操作者の望む状態になったら、そこで画像操作スイッチ１１を操作する。すると、前述のような画像固定化制御が発動され画像操作スイッチ１１の操作時点での画像が目的の提示資料として固定的にディスプレイ装置に表示される。
【００２３】
この撮像具本体１だけを用いての撮像の場合には基本的には外部光を照明光とするが、照明手段７による照明光が有効に働く範囲の物体距離で撮像する場合には、照明手段７を利用して上述の無反射撮像を行うこともできる。
【００２４】
一方高倍率での拡大撮像の場合には、図１のように拡大撮像アダプタ２を撮像具本体１に接続して用い、拡大撮像アダプタ２のフード体１６の先端を撮像対象物に当接させた状態とし、照明操作スイッチ１４の操作で点灯させた照明手段７により撮像対象物を照明して撮像する。この場合にも必要に応じてズーム調節や画像固定化を行うことは上述と同様である。
【００２５】
図５及び図６に示すのは、本発明の第２の実施例による撮像具である。この例の撮像具は、基本的には上記実施例の撮像具と同様であるが、その拡大撮像アダプタ３０の構造において相違がある。即ち拡大撮像アダプタ３０は、撮像具本体１に予め取り付けてあり、上記実施例の場合と同様にして物体距離固定部３１を形成するフード体３２にガイド部３２ｇを介してレンズ保持体３３を図６中の矢印Ｘの如くスライド可能に保持させた構造とされ、このレンズ保持体３３を操作レバ３４の操作で移動させることで、それが保持している補助レンズ１６に図６に実線で示す状態つまりカメラユニット４への像光の入射経路に位置決めさせた状態と、図６に二点鎖線で示す状態つまりカメラユニットへの像光の入射経路から外した状態とを選択的に取らせることができるようにされている。
【００２６】
したがってこの撮像具では、通常倍率での撮像は、補助レンズ１６を図６に二点鎖線で示す状態として撮像し、一方高倍率での拡大撮像は、補助レンズ１６を図６に実線で示す状態として撮像することになる。なおその他の構成は上記実施例と同様であるので、共通する部分を同一符号で示してそれらの説明を省略している。
【００２７】
なお以上の各実施例では、照明手段を撮像具本体に設けるようにしているが、必要に応じて拡大撮像アダプタに照明手段を組み込むようにしても基本的な機能要求を満足させることができる。
【図面の簡単な説明】
【００２８】
【図１】本発明の第１の実施例による撮像具の一部破断を含む斜視図。
【図２】図１の撮像具の撮像具本体の斜視図。
【図３】図１中のＳＡ−ＳＡ線に沿う内部構造一部省略の断面図。
【図４】図１中のＳＢ−ＳＢ線に沿う内部構造一部省略の断面図。
【図５】本発明の第２の実施例による撮像具の図３相当の断面図。
【図６】図５の撮像具における補助レンズの移動機構についての説明図。
【符号の説明】
【００２９】
１ 撮像具本体
２ 拡大撮像アダプタ
４ カメラユニット
７ 照明手段
１６ 補助レンズ
１９ 物体距離固定部
【図１】
2005122203.tif 000003
【図２】
2005122203.tif 000004
【図３】
2005122203.tif 000005
【図４】
2005122203.tif 000006
【図５】
2005122203.tif 000007
【図６】
2005122203.tif 000008